(57)【要約】【課題】電磁アクチュエータを必要とせず、１組の羽根群のみで構成された、電力的にも負荷が小さく、コスト的にも安価なシャッタ装置を提供する。【解決手段】モータ４１の動力が伝達されて第１カムギア３５と第２カムギア３３が回動することにより、第１カムギアが羽根駆動部材３４をチャージ解除状態とすることでアパーチャ２９ｄを閉鎖状態にし、第２カムギアがミラー駆動部材３１を第１の位置に作動させた第１の位相と、第１カムギアが羽根駆動部材をチャージ状態とすることでアパーチャを開放状態にし、第２カムギアがミラー駆動部材を第２の位置に作動させた第２の位相とを順にとる構成にしている。【選択図】図５
2010231154.tif 000002
【特許請求の範囲】
【請求項１】
被写体光が通過するアパーチャと、
被押動部を持ち、羽根群に前記アパーチャの閉鎖と開放の各動作を行わせる羽根駆動部材と、
前記羽根駆動部材の前記被押動部を回動させてチャージおよびチャージ解除を行う第１カムギアと、
クイックリターンミラーを駆動するミラー駆動部材と、
前記ミラー駆動部材を作動させるカム面を持ち、前記第１カムギアの軸と同一方向の回動軸を備え、前記第１カムギアと連動する第２カムギアとを有し、
モータの動力が伝達されて前記第１カムギアと第２カムギアが回動することにより、前記第１カムギアが前記羽根駆動部材をチャージ解除状態もしくはチャージ状態とすることで前記アパーチャを閉鎖状態にし、前記第２カムギアが前記ミラー駆動部材を第１の位置に作動させた第１の位相と、
前記第１カムギアが前記羽根駆動部材をチャージ状態もしくはチャージ解除状態とすることで前記アパーチャを開放状態にし、前記第２カムギアが前記ミラー駆動部材を第２の位置に作動させた第２の位相とを順にとることを特徴とするシャッタ装置。
【請求項２】
前記ミラー駆動部材を前記第１の位置に作動させることにより、前記クイックリターンミラーを撮影光路に進入させ、前記ミラー駆動部材を前記第２の位置に作動させることにより、前記クイックリターンミラーを撮影光路より退避させることを特徴とする請求項１に記載のシャッタ装置。
【請求項３】
請求項１または２に記載のシャッタ装置を具備したことを特徴とする撮像装置。
【発明の詳細な説明】
【技術分野】
【０００１】
本発明は、撮像素子を保護するために該撮像素子の前方に設けられるシャッタ装置、および、該シャッタ装置を有するデジタルカメラ等の撮像装置に関するものである。
【背景技術】
【０００２】
撮像素子に電子シャッタ機能を有するデジタルカメラでは、撮影秒時を規定するためのメカシャッタは必要としないが、撮像素子の汚れや光焼けを防ぐための遮光部材として、シャッタ装置を有するものがある。また、デジタルカメラには、撮影の際、被写体を観察するためのファインダ像として、撮像素子で撮像した被写体像をＬＣＤ（液晶表示器）等のモニターに表示する機能（以下、ライブビュー）を有するものがある。
【０００３】
これらのデジタルカメラにおける遮光部材として、以下のようなシャッタ装置が用いられている。
【０００４】
第１の従来例は、銀塩カメラで用いられている従来のシャッタ装置である。このシャッタ装置は、露光時にシャッタ開口を遮蔽状態から開放状態へ移行させる先幕羽根群と、露光時にシャッタ開口を開放状態から遮蔽状態へ移行させる後幕羽根群とを有する。
【０００５】
第２の従来例は、特許文献１で開示されたシャッタ装置であり、一組の羽根群を電磁アクチュエータによって開閉させるように構成されている。
【先行技術文献】
【特許文献】
【０００６】
【特許文献１】特開２００４−３１７６６５号公報
【発明の概要】
【発明が解決しようとする課題】
【０００７】
第１の従来例のシャッタ装置では、ライブビュー中は後幕羽根群をシャッタ開口開放状態に保持するために後幕保持電磁石に通電し続けなければならず、電力を無駄に消費してしまっていた。
【０００８】
また、第２の従来例のシャッタ装置では、ライブビュー中の通電は不要であり、第１の従来例と比べて羽根群が１組少ないためにコストも安い。しかしながら、シャッタ装置用の電磁アクチュエータは必要であった。デジタル一眼レフカメラ等においては、電磁アクチュエータ以外に、ミラー駆動のための専用のモータを有するものが殆どである。
【０００９】
（発明の目的）
本発明の目的は、電磁アクチュエータを必要とせず、１組の羽根群のみで構成された、電力的にも負荷が小さく、コスト的にも安価なシャッタ装置および撮像装置を提供しようとするものである。
【課題を解決するための手段】
【００１０】
上記目的を達成するために、本発明は、被写体光が通過するアパーチャと、被押動部を持ち、羽根群に前記アパーチャの閉鎖と開放の各動作を行わせる羽根駆動部材と、前記羽根駆動部材の前記被押動部を回動させてチャージおよびチャージ解除を行う第１カムギアと、クイックリターンミラーを駆動するミラー駆動部材と、前記ミラー駆動部材を作動させるカム面を持ち、前記第１カムギアの軸と同一方向の回動軸を備え、前記第１カムギアと連動する第２カムギアとを有し、モータの動力が伝達されて前記第１カムギアと第２カムギアが回動することにより、前記第１カムギアが前記羽根駆動部材をチャージ解除状態もしくはチャージ状態とすることで前記アパーチャを閉鎖状態にし、前記第２カムギアが前記ミラー駆動部材を第１の位置に作動させた第１の位相と、前記第１カムギアが前記羽根駆動部材をチャージ状態もしくはチャージ解除状態とすることで前記アパーチャを開放状態にし、前記第２カムギアが前記ミラー駆動部材を第２の位置に作動させた第２の位相とを順にとるシャッタ装置とするものである。
【発明の効果】
【００１１】
本発明によれば、電磁アクチュエータを必要とせず、１組の羽根群のみで構成された、電力的にも負荷が小さく、コスト的にも安価なシャッタ装置または撮像装置を提供できるものである。
【図面の簡単な説明】
【００１２】
【図１】本発明の実施例１に係るカメラを前面側及び背面側から見た斜視図である。
【図２】実施例１に係るカメラの制御系の構成を示すブロック図である。
【図３】実施例１に係るシャッタ装置などを示す分解斜視図である。
【図４】実施例１に係るシャッタ装置のカメラ停止状態を示す平面図である。
【図５】実施例１に係るシャッタ装置の撮影待機状態を示す平面図である。
【図６】実施例１に係るシャッタ装置の羽根走行完了状態を示す平面図である。
【図７】実施例２に係るシャッタ装置のカメラ停止状態を示す平面図である。
【図８】実施例２に係るシャッタ装置の撮影状態を示す平面図である。
【図９】実施例２に係るシャッタ装置のチャージ開始状態を示す平面図である。
【発明を実施するための形態】
【００１３】
本発明を実施するための形態は、以下の実施例１及び２に示す通りである。
【実施例１】
【００１４】
図１は本発明の実施例１に係るカメラを前面側および背面側から見た斜視図である。なお、本実施例１に係るカメラは、撮像素子を有し、この撮像素子により被写体像を光電変換して画像情報を生成し、任意のメモリ等の電子的記録媒体にその画像情報を記録するデジタルカメラである。
【００１５】
図１において、１はカメラ本体、２はカメラ本体１に着脱可能な撮影レンズである。３はレリーズボタンであり、半押しにより撮影準備用のスイッチＳＷ１がオンして測光、焦点調節動作が開始され、全押しにより撮影用のスイッチＳＷ２がオンし、シャッタ装置４が駆動されて撮影が開始される。５はカメラの各種撮影モードを切り換えるモードダイアルスイッチである。６は撮影画像の確認や選択、メニュー機能の選択・設定に使用する画像表示部、７は被写体像を確認する光学ファインダである。
【００１６】
図２は、上記カメラに係る制御系の構成を示したブロック図である。
【００１７】
図２において、２は撮影レンズであり、複数の光学レンズ８や絞り９を具備している。４は後述のシャッタチャージカム３５等を具備するシャッタ装置であり、詳細は後述する。１０は画像を電気信号に変換する撮像素子であり、ＣＣＤ（Ｃｈａｒｇｅ−Ｃｏｕｐｌｅｄ  Ｄｅｖｉｃｅｓ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等より成り、電子シャッタ機能を有している。１１は撮像素子１０からのアナログの画像信号をデジタルの画像データに変換するＡ／Ｄ変換部である。１２は撮像素子１０やＡ／Ｄ変換部１１にクロック信号や制御信号を供給するタイミング発生回路であり、後述のメモリ制御部１３及びシステム制御部１４により制御されている。
【００１８】
１５は画像処理部であり、Ａ／Ｄ変換部１１あるいはメモリ制御部１３からの画像データに対して画素補間処理や色変換処理等の所定の画像処理を行う。また、この画像処理部１５は、Ａ／Ｄ変換部１１から出力される画像データを用いて所定の演算処理を行い、得られた演算結果に基づいてＴＴＬ（スルーザレンズ）方式のＡＷＢ（オートホワイトバランス）制御処理も行っている。
【００１９】
１３はメモリ制御部であり、Ａ／Ｄ変換部１１、タイミング発生回路１２、画像処理部１５、画像表示メモリ１６、表示制御部１７、メモリ１８、圧縮伸張部１９を制御する。Ａ／Ｄ変換部１１から出力されるデータは、画像処理部１５、メモリ制御部１３を介して、あるいはＡ／Ｄ変換部１１のデータが直接メモリ制御部１３を介して、画像表示メモリ１６あるいはメモリ１８に書き込まれる。
【００２０】
１８は撮影した画像を格納するためのメモリであり、所定枚数の画像を格納するのに十分な記憶量を備えている。１９は圧縮伸張部であり、メモリ１８から読み出した画像データを所定の画像圧縮方法（例えば、適用離散コサイン変換など）に従って画像データの圧縮・伸張処理を行い、処理を終えた画像データをメモリ１８に書き込む。また、処理を終えた画像データは着脱可能な記録媒体２０に記録される。この記録媒体２０は、フラッシュメモリ等の不揮発性メモリによって構成されている。また、メモリ１８はシステム制御部１４の作業領域としても使用することが可能である。さらに、記録媒体２０から画像データをメモリ１８に読み出し、画像処理部１５やメモリ制御部１３を介して画像表示メモリ１６に画像データを書き込む処理をし、表示制御部１７により画像表示部６に表示する場合にも使用される。
【００２１】
４１はモータであり、モータ制御部２１からの制御信号に基づいて駆動され、レリーズボタン３の操作に連動して、シャッタカムギア３５やクイックリターンミラー３０を所定の位置まで駆動させる。
【００２２】
２２は絞り９を制御する絞り制御部、２３は撮影レンズ２のフォーカシングを制御するフォーカス制御部、２４はストロボ、２５はストロボ２４の発光を制御するストロボ制御部である。
【００２３】
１４はカメラ全体を制御するシステム制御部であり、ＣＰＵを含むマイクロコンピュータユニットから構成されており、後述のメモリ２６に格納されたプログラムを実行する。２６はシステム制御部１４の動作用の定数、変数、プログラムなどを記憶するメモリである。プログラムとしては、撮像処理を行うプログラム、画像処理を行うプログラム、作成した画像ファイルデータを記録媒体に記録するプログラム、画像ファイルデータを記録媒体から読み出すプログラムなどの各種プログラムである。さらには、上記プログラムのマルチタスク構成を実現し実行するＯＳなどの各種プログラムである。
【００２４】
２７は電源制御部であり、電源検出回路、ＤＣ／ＤＣコンバータ、電力を供給する回路ブロックを切り換えるスイッチ回路等により構成されている。そして、電源としての電池の装着の有無、電池の種類、電池残量の検出等を行い、検出結果及びシステム制御部１４の指示に基づいて該ＤＣ／ＤＣコンバータを制御し、必要な電圧を必要な期間、記録媒体２０を含む各部へ電力を供給する。
【００２５】
図３は上記構成のカメラのシャッタ装置４とクイックリターンミラー３０の分解斜視図である。
【００２６】
シャッタ地板２９は、図３では不図示のカメラ本体１のミラーボックスに固定されており、羽根群３４ｃの駆動機構を構成する各部品が取り付けられている。クイックリターンミラー３０は、軸部３０ａを中心に往復回動することにより、ミラーボックス内において撮影光路に対し進退するように上下揺動する。ミラー駆動部材であるミラー駆動レバー３１は、上地板３２にその軸部３２ａを中心に回動可能に支持されており、軸部３１ａにて撮影光軸より下側に配設されたクイックリターンミラー３０の被駆動部である軸部３０ｂと当接する。また、ミラー駆動レバー３１は、軸部３１ｂにて第２カムギアであるミラーカムギア３３のカム面３３ａと当接する。なお、クイックリターンミラー３０はミラー駆動レバー３１の動きに追従するように不図示のバネによって付勢されている。
【００２７】
羽根駆動部材である羽根駆動レバー３４は、シャッタ地板２９に配設された羽根駆動レバー軸２９ａに回動可能に支持されている。第１カムギアであるシャッタカムギア３５はシャッタ地板２９に配設されたシャッタカムギア軸２９ｂを中心に回動可能に支持されている。羽根駆動レバー３４に配設された被押動部である羽根駆動レバーコロ３４ａ（図４等に示す）はシャッタカムギア３５に形成されたカム面と接する。また、ミラーカムギア３３はシャッタ地板２９に配設された撮影光軸と同一方向のミラーカムギア軸２９ｃを中心に回動可能に支持されており、シャッタカムギア３５と直接連結されている。
【００２８】
上記構成において、撮影光軸と同一方向の出力軸を配設されたモータ４１から伝達部材である減速ギア列４２とミラーカムギア３３とを介して伝達される駆動力によって、ミラー駆動レバー３１およびシャッタカムギア３５が回動する。つまり、モータ４１のみで、クイックリターンミラー３０の往復回動とシャッタ装置４のシャッタチャージおよび羽根群３４ｃの走行動作とを行うことができる。
【００２９】
次に、シャッタ装置４の構成について、図４〜図６を参照しながら詳細に説明する。
【００３０】
図４〜図６は、カメラに組み込まれた状態において、被写体側から見た略右半分だけを示したシャッタ装置４の平面図である。詳しくは、図４はカメラが停止している状態を、図５は撮影待機状態を、図６は撮影後の羽根走行完了状態を、それぞれ示している。これらの図においては上地板３２は省略している。
【００３１】
シャッタ地板２９には、被写体光束が通過するアパーチャ２９ｄが形成されている。シャッタ地板２９の表面に設けられた羽根駆動レバー軸２９ａには、羽根駆動レバー３４が回動可能に支持されている。羽根駆動レバー軸２９ａの外周には不図示のねじりコイルバネが配置されており、このねじりコイルバネは羽根駆動レバー３４を図４中の反時計回り方向（羽根群３４ｃを上から下に走行させる方向）に付勢している。
【００３２】
羽根駆動レバー３４の先端部には羽根駆動ピン３４ｂが形成されており、この羽根駆動ピン３４ｂはシャッタ地板２９に形成された溝部２９ｅを貫通して不図示の羽根駆動アームと係合している。そして、この不図示の羽根駆動アームはリンク機構を介して羽根群３４ｃと連結している。羽根群３４ｃは複数のシャッタ羽根で構成されている。
【００３３】
羽根駆動レバー３４の回動によって羽根駆動ピン３４ｂが溝部２９ｅに沿って移動することで、羽根駆動アームが回動して羽根群３４ｃを展開させたり、重畳させたりすることができる。この羽根群３４ｃの動作によって、アパーチャ２９ｄを開放状態（被写体光束を通過させる状態）にしたり、閉鎖状態（被写体光束を概ね遮断する状態）にしたりすることができる。ここで、羽根駆動レバー３４は、溝部２９ｅによって回動範囲が制限されている。
【００３４】
３５はシャッタカムギアであり、シャッタ地板２９に設けられたシャッタカムギア軸２９ｂによって回動可能に支持されている。シャッタカムギア３５に形成されたシャッタカム部３５ａ（図５参照）は、シャッタカムギア３５の回動に応じて、羽根駆動レバー３４に設けられた羽根駆動レバーコロ３４ａに当接して、羽根駆動レバー３４を回動させる。具体的には、シャッタカムギア３５のシャッタカム部３５ａは、羽根群３４ｃの走行を完了させた状態にある（羽根群３４ｃを展開状態にさせたときの）羽根駆動レバー３４を、図４中時計回り方向に回動させることによって、チャージ動作を行う。
【００３５】
ミラー駆動レバー３１は、上地板３２の軸部３２ａに回動可能に支持されている。軸部３２ａの外周には不図示のねじりコイルバネが配置されており、このねじりコイルバネはミラー駆動レバー３１を時計回り方向（クイックリターンミラー３０をアップさせる方向）に付勢している。
【００３６】
ミラーカムギア３３はシャッタ地板２９に設けられたミラーカムギア軸２９ｃによって回動可能に支持されており、シャッタカムギア３５と直接噛み合っている。このミラーカムギア３３に形成されたカム面３３ａは、ミラーカムギア３３の回動に応じて、ミラー駆動レバー３１に設けられた軸部３１ｂに当接して、ミラー駆動レバー３１を回動させる。具体的には、ミラーカムギア３３のカム面３３ａは、クイックリターンミラー３０をアップ状態にしているミラー駆動レバー３１を、図４中反時計回り方向に回動させることによって、チャージ動作を行う。
【００３７】
チャージ動作は、モータ４１の回転力が減速ギア列４２を介してミラーカムギア３３とシャッタカムギア３５に伝達されることで実施される。
【００３８】
次に、実際に撮影を行う際のシャッタ装置４の動作について説明する。
【００３９】
図４の状態でレリーズボタン３が全押しされると、モータ４１の回転によって、ミラーカムギア３３は時計回りに回転し、シャッタカムギア３５は反時計回りに回転する。すると、ミラー駆動レバー３１の軸部３１ｂがカム面３３ａのカムボトムに落ちることによって、ミラー駆動レバー３１はクイックリターンミラー３０を跳ね上げる。また、シャッタカムギア３５のシャッタカム部３５ａが羽根駆動レバーコロ３４ａを押すことによって羽根駆動レバー３４が時計回りに回転し、アパーチャ２９ｄが開放された図５に示す撮影待機状態へと移行する。図５の状態では、ライブビュー動作や撮像素子１０の電子シャッタ機能による露光が行われる。
【００４０】
撮像素子１０による露光終了後、モータ４１の回転によって、ミラーカムギア３３は時計回りに回転し、シャッタカムギア３５は反時計回りに回転する。そうすると、シャッタカムギア３５のシャッタカム部３５ａが羽根駆動レバーコロ３４ａから離反し、羽根駆動レバー３４が反時計回りに回転することでアパーチャ２９ｄは閉鎖され、図６の羽根走行完状態へと遷移する。
【００４１】
さらにモータ４１が回転することによって、ミラーカムギア３３のカム面３３ａがミラー駆動レバー３１の軸部３１ｂを押し、ミラー駆動レバー３１が反時計回りに回転し、図６から図４の状態に戻る。
【００４２】
上記実施例１に係るシャッタ装置は、被写体光が通過するアパーチャ２９ｄと、羽根駆動レバーコロ（被押動部）３４ａを持ち、羽根群３４ｃにアパーチャ２９ｄの閉鎖と開放の各動作を行わせる羽根駆動レバー（羽根駆動部材）３４とを有する。さらに、羽根駆動レバー３４の羽根駆動レバーコロ３４ａを回動させてチャージおよびチャージ解除を行うシャッタカムギア（第１カムギア）３５と、クイックリターンミラー３０を駆動するミラー駆動レバー（ミラー駆動部材）３１とを有する。さらに、ミラー駆動レバー３１を駆動するカム面３３ａを持ち、シャッタカムギア３５の軸２９ｂと同一方向の回動軸を備え、シャッタカムギア３５と連動するミラーカムギア（第２カムギア）３３を有する。
【００４３】
そして、モータ４１の動力がシャッタカムギア３５とミラーカムギア３３に伝わってこれらが回動すると、シャッタカムギア３５が羽根駆動レバー３４をチャージ解除状態とすることでアパーチャ２９ｄを閉鎖状態にする。そして、ミラーカムギア３３がミラー駆動部材３１を第１の位置に作動させた第１の位相（図４）をとる。また、シャッタカムギア３５が羽根駆動レバー３４をチャージ状態とすることでアパーチャ２９ｄを開放状態にし、ミラーカムギア３３がミラー駆動部材３１を第２の位置に作動させた第２の位相（図５）をとる。換言すれば、モータ４１とミラーカムギア３３とシャッタカムギア３５とは連結されており、モータ４１が回転するとシャッタカムギア３５とミラーカムギア３３がそれぞれ逆方向に回転する。これに伴い、アパーチャ２９ｄが閉鎖状態（シャッタ閉）になる。そして、クイックリターンミラー３０が撮影光路に進入状態となる第１の位相と、アパーチャ２９ｄが開放状態（シャッタ開）、クイックリターンミラー３０が撮影光路から退避した状態の第２の位相とを順にとる。
【００４４】
よって、従来例のような電磁アクチュエータを用いることなく、シャッタ装置を構成することが出来る。つまり、モータ以外の電磁アクチュエータを必要とせず、１組の羽根群のみで構成された、電力的にも負荷が小さく、コスト的にも安価なシャッタ装置を提供することができる。また、羽根駆動レバー３４のチャージ解除動作によりアパーチャの閉鎖を行うため、撮影後に素早く遮光動作を行うことが出来る。
【実施例２】
【００４５】
次に、本発明の実施例２に係るカメラにについて説明する。尚、カメラの構成は、前述の実施例１の構成とほとんど同じであり、主に羽根駆動レバーとシャッタカムギアの構成が異なるだけであることから、他の部材、部位については実施例１と同一の符号を付けてある。
【００４６】
図７〜図９は本発明の実施例２に係るシャッタ装置４の構成を示す図であり、詳しくは、図７はカメラが停止している状態を、図８は撮影待機状態を、図９は撮影後のチャージ開始状態を、それぞれ示している。
【００４７】
シャッタ地板２９の表面に設けられた羽根駆動レバー軸２９ａには、羽根駆動レバー３６が回動可能に支持されている。羽根駆動レバー軸２９ａの外周には不図示のねじりコイルバネが配置されており、このねじりコイルバネは羽根駆動レバー３６を図７中の反時計回り方向（羽根群３６ｃを上から下に走行させる方向）に付勢している。
【００４８】
羽根駆動レバー３６の先端部には羽根駆動ピン３６ｂが形成されており、この羽根駆動ピン３６ｂはシャッタ地板２９に形成された溝部２９ｅを貫通して不図示の羽根駆動アームと係合している。この不図示の羽根駆動アームはリンク機構を介して羽根群３６ｃと連結されており、羽根群３６ｃは複数のシャッタ羽根で構成されている。
【００４９】
羽根駆動レバー３６の回動によって羽根駆動ピン３６ｂが溝部２９ｅに沿って移動すると、不図示の羽根駆動アームが回動して羽根群３６ｃを展開させたり、重畳させたりする。この羽根群３６ｃの動作によって、アパーチャ２９ｄを開き状態（被写体光束を通過させる状態）にさせたり、閉じ状態（被写体光束を概ね遮断する状態）にさせたりすることができる。ここで、羽根駆動レバー３６は溝部２９ｅによって回動範囲が制限されている。
【００５０】
３７はシャッタカムギアであり、シャッタ地板２９に設けられたシャッタカムギア軸２９ｂによって回動可能に支持されている。シャッタカムギア３７に形成されたシャッタカム部３７ａは、シャッタカムギア３７の回動に応じて、羽根駆動レバー３６に設けられた羽根駆動レバーコロ３６ａに当接して、羽根駆動レバー３６を回動させる。具体的には、シャッタカムギア３７のシャッタカム部３７ａは、羽根群３６ｃの走行を完了させた状態にある（羽根群３６ｃを重畳状態とさせたときの）羽根駆動レバー３６を、図７中時計回り方向に回動させることによって、チャージ動作を行う。
【００５１】
次に、実際に撮影を行う際のシャッタ装置４の動作について説明する。
【００５２】
図７の状態でレリーズボタン３が全押しされると、モータ４１の回転によって、ミラーカムギア３３は時計回りに回転し、シャッタカムギア３７は反時計回りに回転する。すると、ミラー駆動レバー３１の軸部３１ｂがカム面３３ａのカムボトムに落ちることによって、ミラー駆動レバー３１はクイックリターンミラー３０を跳ね上げる。また、シャッタカムギア３７のシャッタカム部３７ａが羽根駆動レバーコロ３６ａから離反することで、羽根駆動レバー３６が反時計回りに回転し、アパーチャ２９ｄが開放された図８に示す撮影待機状態へと移行する。
【００５３】
図８の状態では、ライブビュー動作や撮像素子１０の電子シャッタ機能による露光が行われる。
【００５４】
撮像素子１０による露光終了後、モータ４１の回転によって、ミラーカムギア３３が時計回りに回転し、シャッタカムギア３７が反時計回りに回転すると、図９に示すチャージ開始状態へと遷移する。さらにモータ４１が回転することによって、ミラーカムギア３３のカム面３３ａがミラー駆動レバー３１の軸部３１ｂを押し、ミラー駆動レバー３１が反時計回りに回転する。同時に、シャッタカムギア３７のシャッタカム部３７ａが羽根駆動レバーコロ３６ａを押すことによって羽根駆動レバー３６が時計回りに回転することでアパーチャ２９ｄは閉鎖され、図９から図７の状態に戻る。
【００５５】
上記実施例１では、羽根駆動レバー３４がチャージ解除により走行することで撮像素子１０が遮光状態になるのに対し、この実施例２では、羽根駆動レバー３６がチャージ解除により走行することで撮像素子１０が露光状態になる。そのため、上記実施例１では撮影後に素早く遮光状態を作ることができる。一方、実施例２では、撮影前に素早く露光状態を作ることができる。電子シャッタ撮影後に撮像素子１０に高輝度の光束が入射することにより発生するスミアを抑えるには、上記実施例１が好適であり、レリーズタイムラグを短くするためには実施例２が向いている。
【００５６】
上記実施例２に係るシャッタ装置は、被写体光が通過するアパーチャ２９ｄと、羽根駆動レバーコロ（被押動部）３６ａを持ち、羽根群３６ｃにアパーチャ２９ｄの閉鎖と開放の各動作を行わせる羽根駆動レバー（羽根駆動部材）３６とを有する。さらに、羽根駆動レバー３６の羽根駆動レバーコロ３６ａを回動させてチャージおよびチャージ解除を行うシャッタカムギア（第１のカムギア）３７と、クイックリターンミラー３０を駆動するミラー駆動レバー（ミラー駆動部材）３１とを有する。さらに、ミラー駆動レバー３１を駆動させるカム面３３ａを持ち、さらにシャッタカムギア３７の軸２９ｂと同一方向の回動軸を備え、シャッタカムギア３７と連動するミラーカムギア（第２のカムギア）３３を有する。
【００５７】
そして、モータ４１の動力がシャッタカムギア３７とミラーカムギア３３に伝わってこれらが回動すると、シャッタカムギア３７が羽根駆動部材３６をチャージ状態とすることでアパーチャ２９ｄを閉鎖状態にする。そして、ミラーカムギア３３がミラー駆動部材３１を第１の位置に作動させた第１の位相（図７）をとる。次に、シャッタカムギア３７が羽根駆動レバー３６を解除状態とすることでアパーチャ２９ｄを開放状態にし、ミラーカムギア３３がミラー駆動レバー３１を第２の位置に作動させた第２の位相（図８）とをとる。つまり、第１の位相と第２の位相とを順にとる。換言すれば、モータ４１とミラーカムギア３３とシャッタカムギア３７とは連結されており、モータ４１が回転するとシャッタカムギア３７とミラーカムギア３３がそれぞれ逆方向に回転する。これに伴い、アパーチャ２９ｄが閉鎖状態（シャッタ閉）になる。そして、クイックリターンミラー３０が撮影光路に進入状態となる第1の位相と、アパーチャ２９ｄが開放状態（シャッタ開）、クイックリターンミラー３０が撮影光路から退避した状態の第２の位相とを順にとる。
【００５８】
よって、従来例のような電磁アクチュエータを用いることなく、シャッタ装置を構成することが出来る。つまり、モータ以外の電磁アクチュエータを必要とせず、１組の羽根群のみで構成された、電力的にも負荷が小さく、コスト的にも安価なシャッタ装置を提供することができる。また、羽根駆動部材３６のチャージ状態によりアパーチャの閉鎖を行うため、撮影前に素早く遮光動作を行うことが出来る。
【符号の説明】
【００５９】
４              シャッタ
３０            クイックリターンミラー
３０ｂ          軸部
３１            ミラー駆動レバー
３３            ミラーカムギア
３３ａ          カム面
３４，３６      羽根駆動レバー
３４ａ，３７ａ  羽根駆動レバーコロ
３５，３７      シャッタカムギア
４１            モータ
【図１】
2010231154.tif 000003
【図２】
2010231154.tif 000004
【図３】
2010231154.tif 000005
【図４】
2010231154.tif 000006
【図５】
2010231154.tif 000007
【図６】
2010231154.tif 000008
【図７】
2010231154.tif 000009
【図８】
2010231154.tif 000010
【図９】
2010231154.tif 000011